(57)【要約】【課題】  より広い範囲を照らすことが可能なＬＥＤランプを提供すること。【解決手段】  １以上のＬＥＤチップを有するＬＥＤ発光部２００と、ＬＥＤ発光部２００が搭載される搭載面４１１を有する基板４１０と、ＬＥＤ発光部２００を覆い、かつＬＥＤ発光部２００からの光を透過させるグローブ５００と、を備え、グローブ５００は、搭載面４１１の正面側に膨出しており、基板４１０からグローブ５００の頂点５０４に延びるｘ方向に沿った軸を回転対称軸Ｏ１とする回転対称形状を有する、ＬＥＤランプ１０１であって、グローブ５００の外周面には、それぞれが回転対称軸Ｏ１を中心とするリング状とされ、かつｘ方向に並ぶ複数の山形部５１０が設けられており、各山形部５１０は、ｘ方向寄りに位置し、かつＬＥＤ発光部２００からの光を屈折させる光路変更面５１１と、光路変更面５１１とは反対側に位置する接続面５１２と、を有する。【選択図】  図２
2013012453.tif 000002
【特許請求の範囲】
【請求項１】
１以上のＬＥＤチップを有するＬＥＤ発光部と、
上記ＬＥＤ発光部が搭載される搭載面を有する支持部と、
上記ＬＥＤ発光部を覆い、かつ上記ＬＥＤ発光部からの光を透過させるグローブと、を備え、
上記グローブは、上記搭載面の正面側に膨出しており、上記支持部から上記グローブの頂点に延びる第１方向に沿った軸を回転対称軸とする回転対称形状を有する、ＬＥＤランプであって、
上記グローブの外周面には、それぞれが上記回転対称軸を中心とするリング状とされ、かつ上記第１方向に並ぶ複数の山形部が設けられており、
上記各山形部は、上記第１方向寄りに位置し、かつ上記ＬＥＤ発光部からの光を屈折させる光路変更面と、上記光路変更面とは反対側に位置する接続面と、を有することを特徴とする、ＬＥＤランプ。
【請求項２】
上記各光路変更面は、上記回転対称軸と上記搭載面との交差点から当該光路変更面に延びる直線に垂直な第１面に対して傾斜しており、
上記各光路変更面は、上記第１面よりも、上記グローブの頂点を通るとともに上記回転対称軸に垂直な第２面寄りに傾斜している、請求項１に記載のＬＥＤランプ。
【請求項３】
上記各接続面は、上記回転対称軸と上記搭載面との交差点から延びる直線を母線とする円錐の側面に略沿った形状である、請求項１または２に記載のＬＥＤランプ。
【請求項４】
上記グローブは、上記頂点を頂とするドーム形状部と、このドーム形状部に対して上記支持部側につながり、上記支持部に近づくにつれて窄む窄み部とを有する、請求項１ないし３のいずれかに記載のＬＥＤランプ。
【請求項５】
上記光路変更面には、ＡＲコートが施されている、請求項１ないし４のいずれかに記載のＬＥＤランプ。
【請求項６】
上記グローブの内周面には、上記回転対称軸を長軸とする楕円弧の回転により形成され、上記ＬＥＤ発光部からの光を屈折させる追加の光路変更面が設けられている、請求項１ないし５のいずれかに記載のＬＥＤランプ。
【請求項７】
上記ＬＥＤ発光部は、各々が上記ＬＥＤチップを具備しており、上記搭載面に搭載された１以上のＬＥＤモジュールを備えている、請求項１ないし６のいずれかに記載のＬＥＤランプ。
【請求項８】
上記搭載面には、複数の上記ＬＥＤモジュールがマトリクス状に配置されている、請求項７に記載のＬＥＤランプ。
【請求項９】
上記ＬＥＤ発光部は、上記支持部に取り付けられ、かつ複数のＬＥＤチップが搭載されたＬＥＤ基板を有する、請求項１ないし６のいずれかに記載のＬＥＤランプ。
【請求項１０】
上記支持部は、上記第１方向に膨出する膨出部を備えて構成されており、
上記ＬＥＤ発光部は、上記膨出部に支持されている、請求項１ないし６のいずれかに記載のＬＥＤランプ。
【請求項１１】
上記膨出部は、上記グローブの頂点寄りに位置する円形の天板と、この天板につながる円筒部とを有し、
上記ＬＥＤ発光部は、上記天板および上記円筒部に支持されている、請求項１０に記載のＬＥＤランプ。
【請求項１２】
上記円筒部は、上記天板に向かうほど直径が小となっている、請求項１１に記載のＬＥＤランプ。
【請求項１３】
上記ＬＥＤ発光部は、各々が上記ＬＥＤチップを具備する複数のＬＥＤモジュールを備え、
上記複数のＬＥＤモジュールは、上記膨出部に取り付けられたフレキシブル配線基板に搭載されている、請求項１１または１２に記載のＬＥＤランプ。
【請求項１４】
１以上のＬＥＤチップを有するＬＥＤ発光部と、
上記ＬＥＤ発光部が搭載される搭載面を有する支持部と、
上記ＬＥＤ発光部を覆い、かつ上記ＬＥＤ発光部からの光を透過させるカバーと、を備え、
上記カバーは、上記搭載面の正面側に膨出しており、かつ上記支持部から上記カバーの頂部に延びる第１方向と垂直である第２方向に延びる、ＬＥＤランプであって、
上記カバーの外周面には、それぞれが上記第２方向に延び、かつ上記第１方向に並ぶ複数の山形部が設けられており、
上記各山形部は、上記第１方向寄りに位置し、かつ上記ＬＥＤ発光部からの光を屈折させる光路変更面と、上記光路変更面とは反対側に位置する接続面と、を有することを特徴とする、ＬＥＤランプ。
【請求項１５】
上記各光路変更面は、上記第１方向に沿う軸線と上記搭載面との交差点から上記第２方向の垂直面内において当該光路変更面に延びる直線に垂直な第１面に対して傾斜しており、
上記各光路変更面は、上記第１面よりも、上記カバーの頂部を通るとともに上記軸線に垂直な第２面寄りに傾斜している、請求項１４に記載のＬＥＤランプ。
【請求項１６】
上記各接続面は、上記軸線と上記搭載面との交差点から上記第２方向の垂直面内において延びる直線を含む、請求項１４または１５に記載のＬＥＤランプ。
【請求項１７】
上記光路変更面には、ＡＲコートが施されている、請求項１４ないし１６のいずれかに記載のＬＥＤランプ。
【請求項１８】
上記カバーの内周面には、上記第２方向の垂直面内において上記軸線を長軸とする楕円弧状に形成され、上記ＬＥＤ発光部からの光を屈折させる追加の光路変更面が設けられている、請求項１５に記載のＬＥＤランプ。
【請求項１９】
上記ＬＥＤ発光部は、各々が上記ＬＥＤチップを具備しており、上記搭載面に搭載された１以上のＬＥＤモジュールを備えている、請求項１４ないし１８のいずれかに記載のＬＥＤランプ。
【請求項２０】
上記ＬＥＤ発光部は、上記支持部に取り付けられ、かつ複数のＬＥＤチップが搭載されたＬＥＤ基板を有する、請求項１４ないし１８のいずれかに記載のＬＥＤランプ。
【請求項２１】
上記支持部は、上記第１方向に膨出する膨出部を備えて構成されており、
上記ＬＥＤ発光部は、上記膨出部に支持されている、請求項１４ないし１８のいずれかに記載のＬＥＤランプ。
【請求項２２】
１以上のＬＥＤチップを有するＬＥＤ発光部と、
上記ＬＥＤ発光部が搭載される搭載面を有する支持部と、
上記ＬＥＤ発光部を覆い、かつ上記ＬＥＤ発光部からの光を透過させるカバーと、を備え、
上記カバーは、上記搭載面の正面側に膨出しており、かつ上記支持部から上記カバーの頂部に延びる第１方向と垂直である第２方向に延びる、ＬＥＤランプであって、
上記カバーの内周面には、それぞれが上記第２方向に延び、かつ上記第１方向に並ぶ複数の山形部が設けられており、
上記各山形部は、上記第１方向寄りに位置し、かつ上記ＬＥＤ発光部からの光を屈折させる光路変更面と、上記光路変更面とは反対側に位置する接続面と、を有することを特徴とする、ＬＥＤランプ。
【請求項２３】
上記各光路変更面は、上記頂部を上記搭載面に射影した射影点、および当該光路変更面上のいずれかの点を含み、上記第２方向に沿って延びる第３面と、上記第１方向の反対側において当該光路変更面とのなす第１角度が９０度未満となるように構成される、請求項２２に記載のＬＥＤランプ。
【請求項２４】
上記第１角度は、上記光路変更面について上記第１方向とは反対方向に位置するものほど小とされている、請求項２３に記載のＬＥＤランプ。
【請求項２５】
上記各接続面は、上記射影点から上記第２方向の垂直面内において延びる直線を含む、請求項２２ないし２４のいずれかに記載のＬＥＤランプ。
【請求項２６】
上記カバーの外周面は、上記第２方向の垂直面内において、上記搭載面よりも上記第１方向寄りに位置する点を中心とする円形状とされている、請求項２２ないし２５のいずれかに記載のＬＥＤランプ。
【請求項２７】
上記複数の山形部は、上記頂部に対応する部位から上記中心よりも上記搭載面寄りに対応する部位に至るすべての領域に設けられている、請求項２６に記載のＬＥＤランプ。
【請求項２８】
上記各光路変更面は、上記第２方向の垂直面内において上記ＬＥＤ発光部からの光が当該光路変更面にて屈折する屈折光を上記カバーの内側に延長したときに、その延長線が上記中心を通るように構成されている、請求項２６または２７に記載のＬＥＤランプ。
【請求項２９】
上記ＬＥＤ発光部は、複数の上記ＬＥＤチップを具備しており、
上記搭載面には、複数の上記ＬＥＤチップが上記第２方向に沿ってライン状に配置されている、請求項２２ないし２８のいずれかに記載のＬＥＤランプ。
【発明の詳細な説明】
【技術分野】
【０００１】
本発明は、光源としてＬＥＤチップを備えるＬＥＤランプに関する。
【背景技術】
【０００２】
いわゆる白熱電球の代替製品として、ＬＥＤチップが実装されたＬＥＤランプが普及し始めている。ＬＥＤランプは、白熱電球に対して、省電力および長寿命といった長所がある。
【０００３】
図２４は、従来のＬＥＤランプの一例を示している（たとえば、特許文献１参照）。同図に示されたＬＥＤランプ９００は、白熱電球の代替として使用可能に構成されたものであり、ＬＥＤ基板９０１、複数のＬＥＤチップ９０２、基台９０３、電源部９０４、口金９０５、およびグローブ９０６を備えている。複数のＬＥＤチップ９０２は、ＬＥＤランプ９００の光源であり、ＬＥＤ基板９０１に搭載されている。ＬＥＤ基板９０１は、絶縁性材料からなり、基台９０３に固定されている。基台９０３は、たとえばアルミなどの金属からなり、複数のＬＥＤチップ９０２からの熱を外部へと放散する役割を果たす。口金９０５は、ＬＥＤランプ９００を照明器具などに取り付けるための部位であり、たとえばＪＩＳ規格に定められた仕様とされている。グローブ９０６は、複数のＬＥＤチップ９０２を保護するとともに、ＬＥＤチップ９０２からの光を透過させる。
【０００４】
ＬＥＤチップ９０２から発せられる光は、指向性が比較的に高いので、図２４に示されたＬＥＤランプ９００においては、側方（図中の左右方向）には光が届きにくい。このため、一般的な白熱電球に代えてＬＥＤランプ９００を照明器具に取り付けて使用した場合、照らされる範囲が狭くなるという不都合があった。
【先行技術文献】
【特許文献】
【０００５】
【特許文献１】特開２０１０−２２５４０９号公報
【発明の概要】
【発明が解決しようとする課題】
【０００６】
本発明は、上記した事情のもとで考え出されたものであって、より広い範囲を照らすことが可能なＬＥＤランプを提供することを課題とする。
【課題を解決するための手段】
【０００７】
本発明の第１の側面によって提供されるＬＥＤランプは、１以上のＬＥＤチップを有するＬＥＤ発光部と、上記ＬＥＤ発光部が搭載される搭載面を有する支持部と、上記ＬＥＤ発光部を覆い、かつ上記ＬＥＤ発光部からの光を透過させるグローブと、を備え、上記グローブは、上記搭載面の正面側に膨出しており、上記支持部から上記グローブの頂点に延びる第１方向に沿った軸を回転対称軸とする回転対称形状を有する、ＬＥＤランプであって、上記グローブの外周面には、それぞれが上記回転対称軸を中心とするリング状とされ、かつ上記第１方向に並ぶ複数の山形部が設けられており、上記各山形部は、上記第１方向寄りに位置し、かつ上記ＬＥＤ発光部からの光を屈折させる光路変更面と、上記光路変更面とは反対側に位置する接続面と、を有することを特徴としている。
【０００８】
本発明の好ましい実施の形態においては、上記各光路変更面は、上記回転対称軸と上記搭載面との交差点から当該光路変更面に延びる直線に垂直な第１面に対して傾斜しており、上記各光路変更面は、上記第１面よりも、上記グローブの頂点を通るとともに上記回転対称軸に垂直な第２面寄りに傾斜している。
【０００９】
本発明の好ましい実施の形態においては、上記各接続面は、上記回転対称軸と上記搭載面との交差点から延びる直線を母線とする円錐の側面に略沿った形状である。
【００１０】
本発明の好ましい実施の形態においては、上記グローブは、上記頂点を頂とするドーム形状部と、このドーム形状部に対して上記支持部側につながり、上記支持部に近づくにつれて窄む窄み部とを有する。
【００１１】
本発明の好ましい実施の形態においては、上記光路変更面には、ＡＲコートが施されている。
【００１２】
本発明の好ましい実施の形態においては、上記グローブの内周面には、上記回転対称軸を長軸とする楕円弧の回転により形成され、上記ＬＥＤ発光部からの光を屈折させる追加の光路変更面が設けられている。
【００１３】
本発明の好ましい実施の形態においては、上記ＬＥＤ発光部は、各々が上記ＬＥＤチップを具備しており、上記搭載面に搭載された１以上のＬＥＤモジュールを備えている。
【００１４】
本発明の好ましい実施の形態においては、上記搭載面には、複数の上記ＬＥＤモジュールがマトリクス状に配置されている。
【００１５】
本発明の好ましい実施の形態においては、上記ＬＥＤ発光部は、上記支持部に取り付けられ、かつ複数のＬＥＤチップが搭載されたＬＥＤ基板を有する。
【００１６】
本発明の好ましい実施の形態においては、上記支持部は、上記第１方向に膨出する膨出部を備えて構成されており、上記ＬＥＤ発光部は、上記膨出部に支持されている。
【００１７】
本発明の好ましい実施の形態においては、上記膨出部は、上記グローブの頂点寄りに位置する円形の天板と、この天板につながる円筒部とを有し、上記ＬＥＤ発光部は、上記天板および上記円筒部に支持されている。
【００１８】
本発明の好ましい実施の形態においては、上記円筒部は、上記天板に向かうほど直径が小となっている。
【００１９】
本発明の好ましい実施の形態においては、上記ＬＥＤ発光部は、各々が上記ＬＥＤチップを具備する複数のＬＥＤモジュールを備え、上記複数のＬＥＤモジュールは、上記膨出部に取り付けられたフレキシブル配線基板に搭載されている。
【００２０】
本発明の第２の側面によって提供されるＬＥＤランプは、１以上のＬＥＤチップを有するＬＥＤ発光部と、上記ＬＥＤ発光部が搭載される搭載面を有する支持部と、上記ＬＥＤ発光部を覆い、かつ上記ＬＥＤ発光部からの光を透過させるカバーと、を備え、上記カバーは、上記搭載面の正面側に膨出しており、かつ上記支持部から上記カバーの頂部に延びる第１方向と垂直である第２方向に延びる、ＬＥＤランプであって、上記カバーの外周面には、それぞれが上記第２方向に延び、かつ上記第１方向に並ぶ複数の山形部が設けられており、上記各山形部は、上記第１方向寄りに位置し、かつ上記ＬＥＤ発光部からの光を屈折させる光路変更面と、上記光路変更面とは反対側に位置する接続面と、を有することを特徴としている。
【００２１】
本発明の好ましい実施の形態においては、上記各光路変更面は、上記第１方向に沿う軸線と上記搭載面との交差点から上記第２方向の垂直面内において当該光路変更面に延びる直線に垂直な第１面に対して傾斜しており、上記各光路変更面は、上記第１面よりも、上記カバーの頂部を通るとともに上記軸線に垂直な第２面寄りに傾斜している。
【００２２】
本発明の好ましい実施の形態においては、上記各接続面は、上記軸線と上記搭載面との交差点から上記第２方向の垂直面内において延びる直線を含む。
【００２３】
本発明の好ましい実施の形態においては、上記光路変更面には、ＡＲコートが施されている。
【００２４】
本発明の好ましい実施の形態においては、上記カバーの内周面には、上記第２方向の垂直面内において上記軸線を長軸とする楕円弧状に形成され、上記ＬＥＤ発光部からの光を屈折させる追加の光路変更面が設けられている。
【００２５】
本発明の好ましい実施の形態においては、上記ＬＥＤ発光部は、各々が上記ＬＥＤチップを具備しており、上記搭載面に搭載された１以上のＬＥＤモジュールを備えている。
【００２６】
本発明の好ましい実施の形態においては、上記ＬＥＤ発光部は、上記支持部に取り付けられ、かつ複数のＬＥＤチップが搭載されたＬＥＤ基板を有する。
【００２７】
本発明の好ましい実施の形態においては、上記支持部は、上記第１方向に膨出する膨出部を備えて構成されており、上記ＬＥＤ発光部は、上記膨出部に支持されている。
【００２８】
本発明の第３の側面によって提供されるＬＥＤランプは、１以上のＬＥＤチップを有するＬＥＤ発光部と、上記ＬＥＤ発光部が搭載される搭載面を有する支持部と、上記ＬＥＤ発光部を覆い、かつ上記ＬＥＤ発光部からの光を透過させるカバーと、を備え、上記カバーは、上記搭載面の正面側に膨出しており、かつ上記支持部から上記カバーの頂部に延びる第１方向と垂直である第２方向に延びる、ＬＥＤランプであって、上記カバーの内周面には、それぞれが上記第２方向に延び、かつ上記第１方向に並ぶ複数の山形部が設けられており、上記各山形部は、上記第１方向寄りに位置し、かつ上記ＬＥＤ発光部からの光を屈折させる光路変更面と、上記光路変更面とは反対側に位置する接続面と、を有することを特徴としている。
【００２９】
本発明の好ましい実施の形態においては、上記各光路変更面は、上記頂部を上記搭載面に射影した射影点、および当該光路変更面上のいずれかの点を含み、上記第２方向に沿って延びる第３面と、上記第１方向の反対側において当該光路変更面とのなす第１角度が９０度未満となるように構成される。
【００３０】
本発明の好ましい実施の形態においては、上記第１角度は、上記光路変更面について上記第１方向とは反対方向に位置するものほど小とされている。
【００３１】
本発明の好ましい実施の形態においては、上記各接続面は、上記射影点から上記第２方向の垂直面内において延びる直線を含む。
【００３２】
本発明の好ましい実施の形態においては、上記カバーの外周面は、上記第２方向の垂直面内において、上記搭載面よりも上記第１方向寄りに位置する点を中心とする円形状とされている。
【００３３】
本発明の好ましい実施の形態においては、上記複数の山形部は、上記頂部に対応する部位から上記中心よりも上記搭載面寄りに対応する部位に至るすべての領域に設けられている。
【００３４】
本発明の好ましい実施の形態においては、上記各光路変更面は、上記第２方向の垂直面内において上記ＬＥＤ発光部からの光が当該光路変更面にて屈折する屈折光を上記カバーの内側に延長したときに、その延長線が上記中心を通るように構成されている。
【００３５】
本発明の好ましい実施の形態においては、上記ＬＥＤ発光部は、複数の上記ＬＥＤチップを具備しており、上記搭載面には、複数の上記ＬＥＤチップが上記第２方向に沿ってライン状に配置されている。
【００３６】
本発明のその他の特徴および利点は、添付図面を参照して以下に行う詳細な説明によって、より明らかとなろう。
【図面の簡単な説明】
【００３７】
【図１】本発明の第１実施形態に基づくＬＥＤランプを示す正面図である。
【図２】図１のＩＩ−ＩＩ線に沿う断面図である。
【図３】図１のＬＥＤランプのＬＥＤモジュールの配置を示す平面図である。
【図４】図１のＬＥＤランプに用いられるグローブの外周面形状を説明するための図である。
【図５】図２と同様の断面を表す要部断面図である。
【図６】図１のＬＥＤランプのＬＥＤモジュールを示す断面図である。
【図７】ＬＥＤモジュールの配置を示す平面図である。
【図８】本発明の第２実施形態に基づくＬＥＤランプを示す図２と同様の断面図である。
【図９】図８のＬＥＤランプのＬＥＤ発光部を示す断面図である。
【図１０】図８のＬＥＤランプのＬＥＤ発光部の配置を示す平面図である。
【図１１】本発明の第３実施形態に基づくＬＥＤランプを示す図２と同様の断面図である。
【図１２】図１１のＬＥＤランプの膨出部を示す斜視図である。
【図１３】本発明の第４実施形態に基づくＬＥＤランプを一部断面で表す斜視図である。
【図１４】図１３のＬＥＤランプの断面図である。
【図１５】本発明の第５実施形態に基づくＬＥＤランプを一部断面で表す斜視図である。
【図１６】図１５のＬＥＤランプの断面図である。
【図１７】本発明の第６実施形態に基づくＬＥＤランプを一部断面で表す斜視図である。
【図１８】図１７のＬＥＤランプの断面図である。
【図１９】本発明の第７実施形態に基づくＬＥＤランプを一部断面で表す斜視図である。
【図２０】図１９のＬＥＤランプの断面図である。
【図２１】図１９のＬＥＤランプに用いられるカバーの内周面形状を説明するための図である。
【図２２】図２１の要部拡大図である。
【図２３】図２０のＸＸＩＩＩ−ＸＸＩＩＩ線に沿う要部拡大断面図である。
【図２４】従来のＬＥＤランプの一例を示す断面図である。
【発明を実施するための形態】
【００３８】
以下、本発明の好ましい実施の形態につき、図面を参照して具体的に説明する。
【００３９】
図１および図２は、本発明の第１実施形態に基づくＬＥＤランプを示している。本実施形態のＬＥＤランプ１０１は、ＬＥＤ発光部２００、基台３００、電源部４００、グローブ５００、および口金６００を備えている。ＬＥＤランプ１０１は、白熱電球の代替製品として白熱電球用の照明器具に取り付けられて用いられる。ＬＥＤランプ１０１は、たとえば６０Ｗ型の電球相当の大きさとされており、直径が５５ｍｍ程度、高さが１０８ｍｍ程度である。
【００４０】
本実施形態において、ＬＥＤ発光部２００は、複数のＬＥＤモジュール２０１を備えて構成されている。図６に示すように、ＬＥＤモジュール２０１は、ＬＥＤチップ２０２、１対のリード２０３、ケース２０５、封止樹脂２０６、およびワイヤ２０７を備えている。１対のリード２０３は、たとえばＣｕ合金からなり、その一方にＬＥＤチップ２０２が搭載されている。リード２０３のうちＬＥＤチップ２０２が搭載された面と反対側の面は、ＬＥＤモジュール２０１を面実装するために用いられる実装端子２０４とされている。ＬＥＤチップ２０２は、ＬＥＤモジュール２０１の光源であり、たとえば青色光を発光可能とされている。封止樹脂２０６は、ＬＥＤチップ２０２を保護するためのものである。封止樹脂２０６は、ＬＥＤチップ２０２からの光によって励起されることにより黄色光を発する蛍光物質を含む透光樹脂を用いて形成されている。上記蛍光物質としては、黄色光を発するものに代えて、赤色光を発するものと緑色光を発するものとを混合して用いてもよい。ケース２０５はたとえば白色樹脂からなり、ＬＥＤチップ２０２から側方に発された光を上方に反射するためのものである。
【００４１】
上記構成の各ＬＥＤモジュール２０１は、後述する基板４１０の搭載面４１１（図２における上面）に搭載されている。図３に示すように、本実施形態において、複数のＬＥＤモジュール２０１は、マトリクス状に配置されている。なお、図面において、ＬＥＤ発光部２００（ＬＥＤモジュール２０１）から発された光の進行方向について、適宜、矢印を用いて表す。
【００４２】
図１および図２に示すように、基台３００は、本実施形態においては、本体３１０およびスペーサ３２０からなる。基台３００は、基板４１０を介してＬＥＤモジュール２０１（ＬＥＤ発光部２００）を支持している。基台３００および基板４１０は、本発明の支持部を構成している。基台３００の材質としては、熱伝導率が高いものが好ましく、たとえばアルミなどの金属が用いられる。なお、本実施形態とは異なり、基台３００を一体成型品として形成してもよい。
【００４３】
本体３１０は、全体としてラッパに類似した形状とされており、複数のフィン３１１を有している。複数のフィン３１１は、外方に向かって放射状に形成されている。本体３１０には、電源収容凹部３１２が形成されている。電源収容凹部３１２は、電源部４００の少なくとも一部を収容する部位であり、本実施形態においては、電源部４００のほとんどを収容している。スペーサ３２０は、円板状であり、本体３１０の図中上端に取り付けられている。スペーサ３２０には、開口３２１が形成されている。開口３２１は、ＬＥＤモジュール２０１との干渉を回避するために設けられている。
【００４４】
電源部４００は、たとえば商用の交流１００Ｖ電源からＬＥＤ発光部２００（ＬＥＤモチップ２０２）を点灯させるのに適した直流電力を発生させ、この直流電力をＬＥＤ発光部２００（ＬＥＤチップ２０２）に供給するものであり、図２に示すように、基板４１０、および複数の電子部品４２０を備えている。
【００４５】
基板４１０は、熱伝導性に優れた構成のものが用いられ、たとえばガラスコンポジッド銅張積層板からなる。基板４１０は、全体として円形状とされている。基板４１０の図中下面には、複数の電子部品４２０が実装されている。基板４１０の図中下面および図中上面には、ＬＥＤチップ２０２に電力を供給する経路となる配線パターン（図示略）が適宜形成されており、また、上面の配線パターンと下面の配線パターンとは、たとえばスルーホールを介して適宜導通させられている。基板４１０は、その周縁付近が基台３００の本体３１０とスペーサ３２０との間に挟まれた状態で基台３００に固定されている。
【００４６】
複数の電子部品４２０は、たとえば商用の交流１００Ｖ電源を、ＬＥＤ発光部２００（ＬＥＤチップ２０２）を点灯させるのに適した直流電力に変換する機能を果たす。複数の電子部品４２０は、たとえば、コンデンサ、抵抗、コイル、ダイオード、ＩＣなどを含む。たとえば、図２において、電源収容凹部３１２のほぼ中央において、図中下方にもっとも突出した電子部品４２０は、コンデンサである。
【００４７】
口金６００は、たとえばＪＩＳ規格に準拠した一般的な電球用の照明器具に取り付けるための部分である。口金６００は、ＪＩＳ規格に定められたＥ１７、Ｅ２６などの仕様を満たす構成とされている。口金６００は、電源部４００に対して配線によって接続されている。
【００４８】
グローブ５００は、基板４１０の搭載面４１１の正面側に膨出しており、ＬＥＤ発光部２００（ＬＥＤモジュール２０１）を覆っている。グローブ５００は、ＬＥＤ発光部２００から出射された光を透過する。グローブ５００は、透光性に優れた樹脂からなり、このようなグローブ５００の材質としては、たとえばＰＭＭＡ（ポリメタクリル酸メチル）やポリカーボネートなどの透明度の高い樹脂を挙げることができる。
【００４９】
図１、図２に示すように、本実施形態においては、グローブ５００は、ドーム形状部５０１、窄み部５０２、および挿入部５０３を有している。ドーム形状部５０１は、搭載面４１１の正面に位置しており、概略半球状とされている。窄み部５０２は、ドーム形状部５０１に対して基板４１０（搭載面４１１）側につながっている。窄み部５０２は、基板４１０に近づくにつれて窄んでおり、たとえば概略部分球状とされている。挿入部５０３は、基台３００に形成された溝に挿入されることにより、グローブ５００を基台３００に対して固定するために用いられる。本実施形態では、グローブ５００は、基台３００からグローブ５００の頂点５０４に延びるｘ方向（第１方向）に沿った軸を回転対称軸Ｏ１とする回転対称形状とされている。
【００５０】
図１、図２および図５に示すように、グローブ５００の外周面には、複数の山形部５１０が設けられている。これら山形部５１０は、それぞれが回転対称軸Ｏ１を中心とするリング状とされている。複数の山形部５１０は、ドーム形状部５０１および窄み部５０２に跨って配されており、ｘ方向に並んでいる。
【００５１】
各山形部５１０は、ｘ方向側に位置する光路変更面５１１と、この光路変更面５１１とは反対側に位置する接続面５１２とを有する。
【００５２】
光路変更面５１１は、ＬＥＤ発光部２００（ＬＥＤモジュール２０１）からの光を屈折させるものであり、隣り合う光路変更面５１１どうしは互いに離間している。本実施形態のグローブ５００の外周面形状の決定手法について、図４を参照して説明する。まず、図４に示すように、グローブ５００の形状の基準となる楕円弧Ｅ１を設定する。楕円弧Ｅ１は、回転対称軸Ｏ１と搭載面４１１との交差点４１２を中心とし、かつ回転対称軸Ｏ１を短軸とし、グローブ５００の頂点５０４を通るものである。次に、楕円弧Ｅ１を分割した各区画を基準として、当該各区画に対応する各光路変更面５１１を設定する。各光路変更面５１１は、楕円弧Ｅ１の対応する各区画と平行であり、楕円弧Ｅ１の内側に移動させたものである。これにより、各光路変更面５１１は、回転対称軸Ｏ１と搭載面４１１との交差点４１２から当該光路変更面５１１に延びる直線に垂直な面Ｐ１（第１面）に対して傾斜している。そして、各光路変更面５１１は、面Ｐ１よりも、グローブ５００の頂点５０４を通るとともに回転対称軸Ｏ１に垂直な面Ｐ２（第２面）寄りに傾斜している。ここで、「各光路変更面５１１が面Ｐ１よりも面Ｐ２寄りに傾斜する」とは、別言すると、各光路変更面５１１と面Ｐ２とがなす角度が、当該光路変更面５１１に対応する面Ｐ１と、面Ｐ２とがなす角度よりも小さいことを意味する。そして、図４から理解されるように、図中の上下方向において、光路変更面５１１は、これに対応する面Ｐ１よりも傾斜が緩やかである。
【００５３】
図２、図４、および図５に示すように、接続面５１２は、隣り合う光路変更面５１１の間をつないでいる。本実施形態において、図４から理解されるように、各接続面５１２は、上記交差点４１２から延びる直線を母線とする円錐の側面に略沿った形状とされている。
【００５４】
本実施形態において、グローブ５００の外周面には、ＡＲコートが施されている。
【００５５】
図２に示すように、グローブ５００の内周面には、光路変更面５２０が設けられている。光路変更面５２０は、本発明でいう追加の光路変更面の一例に相当し、回転対称軸Ｏ１を長軸とする楕円弧の回転形状とされている。
【００５６】
上記構成のグローブ５００は、たとえば、図２を基準にして左右および下方の３方に分離可能な金型を用いて一体形成される。
【００５７】
次に、ＬＥＤランプ１０１の作用について説明する。
【００５８】
本実施形態によれば、グローブ５００の外周面には、光路変更面５１１が設けられている。各光路変更面５１１は、図４を参照して上述したように、面Ｐ１よりも面Ｐ２寄りに傾斜している。このような構成により、図２および図５に表れているように、ＬＥＤ発光部２００（ＬＥＤモジュール２０１）からの光が光路変更面５１１に到達して外部に出射される際には、入射角よりも屈折角の方が大きくなる。これにより、光路変更面５１１から出射する光は、ｘ方向とは反対側寄りに屈折し、ｘ方向を基準として拡がる方向に向かう。その結果、グローブ５００からは、ＬＥＤ発光部２００（ＬＥＤモジュール２０１）から発せられた光よりも広い領域に向かって光が発せられる。したがって、ＬＥＤランプ１０１においては、より広い範囲を照らすことができる。
【００５９】
また、グローブ５００の外周面には、複数の山形部５１０がｘ方向に並んで設けられており、光路変更面５１１は、山形部５１０におけるｘ方向寄りに位置している。そして、各光路変更面５１１は、面Ｐ１よりも面Ｐ２寄りに傾斜しているため、複数の光路変更面５１１全体において、たとえば図４に示された楕円弧Ｅ１が光出射面である場合と実質的に同程度の光の屈折を見込むことができる。このような光路変更面５１１の配置の工夫により、ＬＥＤランプ１０１においては、グローブ５００のサイズの小型化を図りつつ、より広い範囲を照らすことができる。
【００６０】
グローブ５００の内周面には、光路変更面５２０が形成されており、光路変更面５２０は、回転対称軸Ｏ１を長軸とする楕円弧の回転形状とされている。このような構成により、図２および図５に表れているように、ＬＥＤ発光部２００（ＬＥＤモジュール２０１）から出射された光が光路変更面５２０に到達してグローブ５００内に進行する際には、入射角よりも屈折角の方が小さくなる。これにより、ＬＥＤ発光部２００から出射された光は、光路変更面５２０によってｘ方向とは反対側寄りに屈折し、グローブ５００内においてｘ方向を基準として拡がる方向に進行する。したがって、ＬＥＤ発光部２００から発せられた光は、グローブ５００内側の光路変更面５２０および上述したグローブ５００外側の光路変更面５１１によって２段階で拡げられる。このことは、ＬＥＤランプ１０１によってより広い範囲を照らすのに適している。
【００６１】
図５に示すように、グローブ５００の内部を進行して光路変更面５１１に到達した光の一部は、当該光路変更面５１１によって反射されて、図中の斜め下方向に進行する。本実施形態では、ドーム形状部５０１に対して基板４１０（搭載面４１１）側につながる窄み部５０２を備えている。窄み部５０２においては、光路変更面５１１によって反射して斜め下方向に進行する光が、下方に位置する山形部５１０によって不当に遮られてしまうことを回避可能である。このことは、ＬＥＤランプ１０１によってより広い範囲を照らすのに適している。
【００６２】
グローブ５００の外周面に形成された接続面５１２は、回転対称軸Ｏ１と搭載面４１１との交差点４１２から延びる直線を母線とする円錐の側面に略沿った形状とされている。これにより、グローブ５００内を進行した光が、接続面５１２によって不当に屈折あるいは反射するのを減らすことができ、ＬＥＤ発光部２００からの光が意図しない方向に出射されるのを抑制することができる。
【００６３】
グローブ５００の外周面には、ＡＲコートが施されている。このため、グローブ５００内を進行した光がグローブ５００の外周面において反射するのを抑制可能であり、ＬＥＤ発光部２００からの光が意図しない方向に出射されるのを抑制することができる。
【００６４】
ＬＥＤ発光部２００を構成する複数のＬＥＤモジュール２０１は、搭載面４１１上にマトリクス状に配置されている。このような構成は、照度を高めつつＬＥＤランプ１０１によってより広い範囲を照らすのに適している。
【００６５】
なお、複数のＬＥＤモジュール２０１の配置は、図３に示した構成に限定されない。ＬＥＤモジュール２０１の数量および配置は、たとえばＬＥＤランプのサイズや仕様などに応じて、種々変更可能である。図３に示す場合、基板４１０の中心（回転対称軸Ｏ１上）にもＬＥＤモジュール２０１が配置されているが、たとえば図７に示すように、すべてのＬＥＤモジュール２０１が基板４１０の中心からずれた位置に配置されていてもよい。また、１つのＬＥＤモジュール２０１だけが搭載される構成としてもよい。
【００６６】
図８〜図２３は、本発明の他の実施形態を示している。なお、これらの図において、上記実施形態と同一または類似の要素には、上記実施形態と同一の符号を付している。
【００６７】
図８は、本発明の第２実施形態に基づくＬＥＤランプを示している。本実施形態のＬＥＤランプ１０２は、ＬＥＤ発光部２００、基台３００、およびグローブ５００の構成が上述した実施形態と異なっている。
【００６８】
図９および図１０に示すように、本実施形態においては、ＬＥＤ発光部２００は、全体として矩形薄板状とされている。図９に示すように、ＬＥＤ発光部２００は、ＬＥＤ基板２１０、複数のＬＥＤチップ２２０、封止樹脂２３０、および堰部２４０を有している。ＬＥＤ基板２１０は、矩形状であり、たとえばアルミナなどのセラミックスからなる。ＬＥＤ基板２１０には、複数のＬＥＤチップ２２０を搭載し、これらのＬＥＤチップ２２０に電力を供給する経路となる配線パターン（図示略）が形成されている。
【００６９】
ＬＥＤチップ２２０は、たとえば青色光を発光可能とされている。ＬＥＤチップ２２０は、上述したＬＥＤ基板２１０の配線パターンに対して２つのワイヤを介して接続される、いわゆる２ワイヤタイプであるが、これに限定されず、１ワイヤタイプのものや、フリップチップタイプのものであってもよい。複数のＬＥＤチップ２２０は、ＬＥＤ基板２１０上にマトリクス状に配置されている。
【００７０】
封止樹脂２３０は、複数のＬＥＤチップ２２０を封止しており、ＬＥＤチップ２２０からの光を透過するたとえばシリコーン樹脂またはエポキシ樹脂などの樹脂材料からなる。封止樹脂２３０は、たとえばＬＥＤチップ２２０からの光によって励起されることにより黄色光を発する蛍光物質を含んで形成されている。堰部２４０は、ＬＥＤ基板２１０上において矩形枠状に形成されており、たとえば白色のシリコーン樹脂からなる。堰部２４０は、封止樹脂２３０の形成において、液状の樹脂材料を堰き止めることにより、この樹脂材料が意図しない領域に流出することを防止する。
【００７１】
図８に示すように、基台３００は、本体３１０およびスペーサ３２０を備えるが、これらの形状が上記実施形態と異なっている。スペーサ３２０は、円板状とされているが、上記実施形態で示した開口３２１を有していない。上記したＬＥＤ発光部２００は、スペーサ３２０の図中上面中央に搭載されており、本実施形態では、スペーサ３２０の上面がＬＥＤ発光部２００の搭載面となっている。スペーサ３２０には、電源部４００の配線４３０を通すための配線用貫通孔３２２が形成されている。配線４３０は、複数の電子部品４２０からの直流電力をＬＥＤ発光部２００へと導くためのものである。配線４３０は、基板４１０からスペーサ３２０の配線用貫通孔３２２を通じてＬＥＤ発光部２００に到達している。
【００７２】
グローブ５００は、その外周面において複数の山形部５１０を有しており、光路変更面５１１および接続面５１２を有する各山形部５１０の態様は上記実施形態とほぼ同様であるが、窄み部５０２に代えて、ドーム形状部５０１の下方につながる円筒部５０５を有する点において上記実施形態と異なる。
【００７３】
本実施形態のＬＥＤランプ１０２においては、ＬＥＤ発光部２００から発せられた光が光路変更面５１１に到達すると、当該光路変更面５１１から出射する光は、当該光路変更面５１１においてｘ方向とは反対側寄りに屈折する。このため、グローブ５００からは、ＬＥＤ発光部２００（ＬＥＤチップ２２０）から発せられた光よりも広い領域に向かって光が発せられる。また、グローブ５００の外周面には、複数の山形部５１０がｘ方向に並んで設けられており、光路変更面５１１は、山形部５１０におけるｘ方向寄りに所定の傾斜姿勢で設けられている。本実施形態の構成によっても、ＬＥＤランプ１０２においては、グローブ５００のサイズの小型化を図りつつ、より広い範囲を照らすことができる。
【００７４】
また、セラミックスからなるＬＥＤ基板２１０は、複数のＬＥＤチップ２２０からの熱を基台３００に伝えるのに適している。
【００７５】
図１１は、本発明の第３実施形態に基づくＬＥＤランプを示している。本実施形態のＬＥＤランプ１０３は、ＬＥＤ発光部２００、基台３００、およびグローブ５００の構成が上述した実施形態と異なっており、台座７００およびフレキシブル配線基板８００をさらに備える。
【００７６】
ＬＥＤ発光部２００は、上記第１実施形態と同様のＬＥＤモジュール２０１を複数備えるが、フレキシブル配線基板８００を介して台座７００に支持されており、この点において第１実施形態とは異なる。
【００７７】
フレキシブル配線基板８００は、複数のＬＥＤモジュール２０１を支持し、かつこれらへの電源供給経路を提供するためのものである。本実施形態においては、フレキシブル配線基板８００は、樹脂層と配線パターン（図示略）を構成する金属層とからなり、図１２に示すように、円形部８０１、円弧部８０２、連結部８０３を有している。円形部８０１は、ほぼ真円形状とされている。円弧部８０２は、長手方向が円弧状に湾曲しており、ほぼ一定の幅寸法を有する。連結部８０３は、円形部８０１と円弧部８０２とを連結している。
【００７８】
図１１および図１２に示すように、複数のＬＥＤモジュール２０１は、フレキシブル配線基板８００の円形部８０１および円弧部８０２に実装されている。複数のＬＥＤモジュール２０１のうち円形部８０１に実装されたものは、円形部８０１の外縁に沿って円形に配置されているものと、それらに囲まれて円形部８０１の中央寄りに配置されているものとを含む。複数のＬＥＤモジュール２０１のうち円弧部８０２に実装されたものは、円弧部８０２の長手方向に２列に配置されている。
【００７９】
台座７００は、フレキシブル配線基板８００を支持するとともに、フレキシブル配線基板８００からの熱を基台３００へと伝えるためのものである。台座７００は、全体としてＸ方向に膨出しており、本発明でいう膨出部の一例に相当するものである。台座７００は、天板７０１、円筒部７０２、および鍔板７０３を有している。台座７００の材質としては、熱伝導率が高いものが好ましく、たとえばアルミなどの金属が用いられる。
【００８０】
天板７０１は、円形状とされており、フレキシブル配線基板８００の円形部８０１がたとえば接着剤または両面粘着テープによって取り付けられている。円筒部７０２は、天板７０１に繋がっており、天板７０１に近づくほど直径が小となるテーパ状の円筒形状とされている。円筒部７０２には、フレキシブル配線基板８００の円弧部８０２が取り付けられている。円筒部７０２には、配線用貫通孔７２１が形成されている。鍔板７０３は、円筒部７０２から外方に向かって延びており、円環状とされている。
【００８１】
図１２に示すように、円筒部７０２には、４つの放熱用貫通孔７２２が形成されている。放熱用貫通孔７２２を通じて、台座７００の外側空間と内側空間とがつながっている。鍔板７０３には、４つのボルト用貫通孔７３１および４つのザグリ穴７３２が形成されている。ボルト用貫通孔７３１は、台座７００を基台３００に対して固定するボルト７４１を通すためのものである。本実施形態においては、４つのボルト用貫通孔７３１は、９０°ピッチで配置されている。ザグリ穴７３２は、ボルト７４１の頭部を鍔板７０３内に沈降させるためのものであり、直径がボルト用貫通孔７３１の直径よりも大である円形の凹部である。本実施形態においては、ザグリ穴７３２を形成するためのドリル加工を施す際に、鍔板７０３だけでなく、円筒部７０２の一部を切削している。これにより、台座７００には、４つの切欠き７２３が形成されている。切欠き７２３が円筒部７０２の厚さ方向に貫通した部分が、上述した放熱用貫通孔７２２となっている。このような形成手法の結果、切欠き７２３の一部によって、ザグリ穴７３２が構成される格好となっている。ザグリ穴７３２には、固定樹脂７４２が充てんされている。固定樹脂７４２は、ボルト７４１の緩みを防止するためのものであり、本実施形態においては、ザグリ穴７３２のうち円筒部７０２とは反対側のおよそ半分の領域に充てんされている。
【００８２】
基台３００は、本体３１０およびスペーサ３２０を備えるが、本実施形態では、スペーサ３２０の開口３２１は、電源部４００との干渉を回避するために設けられている。電源部４００の基板４１０は、スペーサ３２０と台座７００の鍔板７０３との間に挟まれている。
【００８３】
基板４１０には、４つの放熱用貫通孔４１３が形成されている。各放熱用貫通孔４１３は、基板４１０の周縁寄り領域に形成されている。４つの放熱用貫通孔４１３は、９０°ピッチで配置されており、基板４１０の周方向（フレキシブル配線基板８００の円形部８０１の周方向と一致する）において、台座７００の放熱用貫通孔７２２と基板４１０の放熱用貫通孔４１３とは、同じ位置に設けられている。
【００８４】
電源部４００の配線４３０は、複数の電子部品４２０からの直流電力をフレキシブル配線基板８００へと導くためのものである。配線４３０は、基板４１０から台座７００の配線用貫通孔７２１を通じてフレキシブル配線基板８００に到達している。
【００８５】
グローブ５００は、ドーム形状部５０１と、ドーム形状部５０１の下方につながる円筒部５０５とを備えており、上記第２実施形態と同様の構成とされている。グローブ５００の外周面には、複数の山形部５１０が設けられており、光路変更面５１１および接続面５１２を有する各山形部５１０の態様は第２実施形態と同様である。
【００８６】
本実施形態のＬＥＤランプ１０３においては、ＬＥＤ発光部２００から発せられた光が光路変更面５１１に到達すると、当該光路変更面５１１から出射する光は、当該光路変更面５１１においてｘ方向とは反対側寄りに屈折する。このため、グローブ５００からは、ＬＥＤ発光部２００から発せられた光よりも広い領域に向かって光が発せられる。また、グローブ５００の外周面には、複数の山形部５１０がｘ方向に並んで設けられており、光路変更面５１１は、山形部５１０におけるｘ方向寄りに所定の傾斜姿勢で設けられている。本実施形態の構成によっても、ＬＥＤランプ１０３においては、グローブ５００のサイズの小型化を図りつつ、より広い範囲を照らすことができる。
【００８７】
図１３および図１４は、本発明の第４実施形態に基づくＬＥＤランプを示している。本実施形態のＬＥＤランプ１０４は、直管形蛍光ランプの代替として一般用蛍光灯照明器具に取り付けて用いられるように構成されており、この点において上記実施形態とは大きく異なっている。
【００８８】
本実施形態のＬＥＤランプ１０４においては、上記実施柄形態のグローブ５００に代えて、カバー５００’が設けられている。図１３に示すように、カバー５００’は、ｙ方向（第２方向）を長手方向とするように延びている。カバー５００’の外周面には、複数の山形部５１０が設けられている。複数の山形部５１０は、それぞれがｙ方向に延びており、ｙ方向と垂直なｘ方向（第１方向）に並んでいる。各山形部５１０は、ｘ方向寄りに位置する光路変更面５１１と、光路変更面５１１とは反対側に位置する接続面５１２とを有している。
【００８９】
図４および図１４を参照すると理解されるように、各光路変更面５１１は、ｘ方向に沿う軸線Ｏ２と搭載面４１１との交差点４１２からｙ方向の垂直面内において当該光路変更面５１１に延びる直線に垂直な面Ｐ１（第１面）に対して傾斜している。そして、各光路変更面５１１は、面Ｐ１よりも、カバー５００’の頂部５０６を通るとともに軸線Ｏ２に垂直な面Ｐ２（第２面）寄りに傾斜している。本実施形態において、図１４から理解されるように、各接続面５１２は、上記交差点４１２からｙ方向の垂直面内において延びる直線を含む。
【００９０】
本実施形態において、カバー５００’の外周面には、ＡＲコートが施されている。また、カバー５００’の内周面には、光路変更面５２０が設けられている。光路変更面５２０は、本発明でいう追加の光路変更面の一例に相当し、ｙ方向の垂直面内において軸線Ｏ２を長軸とする楕円弧状に形成されている。
【００９１】
本実施形態において、ＬＥＤ発光部２００は、上記第１実施形態と同様のＬＥＤモジュール２０１を複数備えて構成されている。複数のＬＥＤモジュール２０１は、ｙ方向を長手方向として延びる基板４１０の搭載面４１１上に搭載されており、たとえば基板４１０の長手方向に３列に配置されている。
【００９２】
基板４１０は、基台３００に取り付けられている。基台３００は、ｙ方向を長手方向として延びる長矩形板状である。基台３００の下部には、複数のフィン３３１が形成されている。
【００９３】
基板４１０の長手方向端部には、図示しない電源部が設けられている。この電源部は、たとえば複数の電子部品を備え、商用交流電源をＬＥＤ発光部２００を点灯させるのに適した直流電力に変換する機能を果たす。電源部とＬＥＤ発光部２００とは、配線（図示略）によって接続されている。
【００９４】
基台３００ないしカバー５００’の長手方向両端部には、図示しない一対の口金が設けられている。一対の口金は、蛍光灯照明器具のソケットに装着することにより、商用交流電源から電力供給するためのものである。
【００９５】
本実施形態のＬＥＤランプ１０４においては、ＬＥＤ発光部２００から発せられた光が光路変更面５１１に到達すると、当該光路変更面５１１から出射する光は、当該光路変更面５１１においてｘ方向とは反対側寄りに屈折する。このため、カバー５００’からは、ＬＥＤ発光部２００（ＬＥＤモジュール２０１）から発せられた光よりも広い領域に向かって光が発せられる。また、カバー５００’の外周面には、複数の山形部５１０がｘ方向に並んで設けられており、光路変更面５１１は、山形部５１０におけるｘ方向寄りに所定の傾斜姿勢で設けられている。本実施形態の構成によっても、ＬＥＤランプ１０４においては、カバー５００’のサイズの小型化を図りつつ、より広い範囲を照らすことができる。
【００９６】
図１５および図１６は、本発明の第５実施形態に基づくＬＥＤランプを示している。本実施形態のＬＥＤランプ１０５は、主にＬＥＤ発光部２００の構成が上述の第４実施形態と異なっている。
【００９７】
本実施形態においては、ＬＥＤ発光部２００は、全体として矩形薄板状とされており、図９を参照して上述した第２実施形態と同様のものを複数備えた構成である。図１６に示すように、複数のＬＥＤ発光部２００は、基台３００の長手方向に沿って配置されている。本実施形態では、基台３００の上面がＬＥＤ発光部２００の搭載面となっている。なお、ＬＥＤ発光部２００については、複数備える構成に限定されず、たとえばｙ方向を長手方向とする長矩形状のＬＥＤ基板２１０を備えた、１つのＬＥＤ発光部２００として構成してもよい。
【００９８】
本実施形態において、カバー５００’の構成は、上記第４実施形態と同様である。
【００９９】
基台３００の長手方向端部には、基板に搭載された電源部（ともに図示せず）が設けられている。また、基台３００ないしカバー５００’の長手方向両端部には、図示しない一対の口金が設けられている。
【０１００】
本実施形態のＬＥＤランプ１０５においては、ＬＥＤ発光部２００から発せられた光が光路変更面５１１に到達すると、当該光路変更面５１１から出射する光は、当該光路変更面５１１においてｘ方向とは反対側寄りに屈折する。このため、カバー５００’からは、ＬＥＤ発光部２００から発せられた光よりも広い領域に向かって光が発せられる。また、カバー５００’の外周面には、複数の山形部５１０がｘ方向に並んで設けられており、光路変更面５１１は、山形部５１０におけるｘ方向寄りに所定の傾斜姿勢で設けられている。本実施形態の構成によっても、ＬＥＤランプ１０５においては、カバー５００’のサイズの小型化を図りつつ、より広い範囲を照らすことができる。
【０１０１】
図１７および図１８は、本発明の第６実施形態に基づくＬＥＤランプを示している。本実施形態のＬＥＤランプ１０６は、台座７００およびフレキシブル配線基板８００をさらに備えており、主にこの点において第４実施形態のＬＥＤランプ１０４と異なっている。
【０１０２】
ＬＥＤ発光部２００は、上記第１実施形態と同様のＬＥＤモジュール２０１を複数備えるが、フレキシブル配線基板８００を介して台座７００に支持されており、この点において第４実施形態とは異なる。
【０１０３】
図１７および図１８に示すように、台座７００は、フレキシブル配線基板８００を支持するとともに、フレキシブル配線基板８００からの熱を基台３００へと伝えるためのものである。台座７００は、全体としてｘ方向に膨出しており、本発明でいう膨出部の一例に相当するものである。台座７００は、断面台形とされており、ｙ方向を長手方向として延びている。台座７００の材質としては、熱伝導率が高いものが好ましく、たとえばアルミなどの金属が用いられる。
【０１０４】
フレキシブル配線基板８００は、複数のＬＥＤモジュール２０１を支持し、かつこれらへの電源供給経路を提供するためのものである。本実施形態においては、フレキシブル配線基板８００は、樹脂層と配線パターン（図示略）を構成する金属層とからなり、図１７および図１８に示すように、台座７００の頂部およびこの頂部につながる斜面部を覆うように設けられている
【０１０５】
図１７および図１８に示すように、複数のＬＥＤモジュール２０１は、フレキシブル配線基板８００に実装されている。複数のＬＥＤモジュール２０１は、台座７００の頂部において長手方向に２列に配置され、台座７００の斜面部において長手方向に１列に配置されている。
【０１０６】
本実施形態において、カバー５００’の構成は、上記第４実施形態と同様である。
【０１０７】
基台３００の長手方向端部には、基板に搭載された電源部（ともに図示せず）が設けられている。電源部とフレキシブル配線基板８００とは、配線（図示略）によって接続されている。また、基台３００ないしカバー５００’の長手方向両端部には、図示しない一対の口金が設けられている。
【０１０８】
本実施形態のＬＥＤランプ１０６においては、ＬＥＤ発光部２００から発せられた光が光路変更面５１１に到達すると、当該光路変更面５１１から出射する光は、当該光路変更面５１１においてｘ方向とは反対側寄りに屈折する。このため、カバー５００’からは、ＬＥＤ発光部２００から発せられた光よりも広い領域に向かって光が発せられる。また、カバー５００’の外周面には、複数の山形部５１０がｘ方向に並んで設けられており、光路変更面５１１は、山形部５１０におけるｘ方向寄りに所定の傾斜姿勢で設けられている。本実施形態の構成によっても、ＬＥＤランプ１０６においては、カバー５００’のサイズの小型化を図りつつ、より広い範囲を照らすことができる。
【０１０９】
図１９および図２０は、本発明の第７実施形態に基づくＬＥＤランプを示している。本実施形態のＬＥＤランプ１０７は、直管形蛍光ランプの代替として一般用蛍光灯照明器具に取り付けて用いられるように構成されている。本実施形態のＬＥＤランプ１０７は、ＬＥＤ発光部２００、およびカバー５００’の構成が上記実施形態と大きく異なっている。
【０１１０】
ＬＥＤランプ１０７においては、図１９に示すように、カバー５００’は、ｙ方向（第２方向）を長手方向とするように延びている。本実施形態においては、カバー５００’の外周面５３０は断面円形状とされており、カバー５００’の内周面には、複数の山形部５１０が設けられている。複数の山形部５１０は、それぞれがｙ方向に延びており、ｙ方向と垂直なｘ方向（第１方向）に並んでいる。各山形部５１０は、ｘ方向寄りに位置する光路変更面５１１と、光路変更面５１１とは反対側に位置する接続面５１２とを有している。光路変更面５１１は、ＬＥＤ発光部２００からの光を屈折させるものであり、上記実施形態における光路変更面５１１と同様の役割を担うものであるが、カバー５００’の内周面に設けられる点において上記実施形態と大きく相違する。
【０１１１】
図１９および図２０に示すように、カバー５００’の内側には、対をなす突出片５４０が設けられている。これら突出片５４０は、基板４１０の上側（搭載面４１１）に当接しており、後述する基板４１０および基台３００がカバー５００’の内部で位置ずれすることを防止するためのものである。２つの突出片５４０は、カバー５００’の円形外周面の中心Ｏ３に対して、図中下寄り（ｘ方向の反対側寄り）に位置している。これにより、図２０に示すように、上記中心Ｏ３は、基板４１０の搭載面４１１よりもｘ方向寄りに位置している。
【０１１２】
本実施形態のカバー５００’の内周面形状の決定方法について、図２１を参照して説明する。図２１は、ｙ方向に垂直な断面を簡略に表したものである。光路変更面５１１は、ＬＥＤ発光部２００からの光をｘ方向とは反対側寄りに屈折させることを意図したものである。このため、ＬＥＤ発光部２００からの光は、光路変更面５１１において矢印で示すように屈折する。これにより、図２１から理解されるように、カバー５００’の頂部５０６を基板４１０の搭載面４１１に射影した射影点４１４、および光路変更面５１１上のいずれかの点を含み、ｙ方向（図２１における紙面に垂直方向）に沿って延びる面Ｐ３（第３面）と、ｘ方向の反対側において当該光路変更面５１１とのなす角度γ（第１角度）は、９０度未満とされる。
【０１１３】
本実施形態では、ｙ方向の垂直面内において、カバー５００’の外周面５３０から出射される光が円形外周面の中心Ｏ３から延びる直線と同一方向となるように、ＬＥＤ発光部２００からの光を光路変更面５１１にて屈折させる。図２１から理解されるように、カバー５００’からの出射光は、カバー５００’の外周面５３０と直交しており、カバー５００’の内部を進行する光は、カバー５００’の外周面において直進する。このようなことから理解されるように、ＬＥＤ発光部２００からの光が光路変更面５１１にて屈折する屈折光をカバー５００’の内側に延長したときに、その延長線Ｌ１が中心Ｏ３を通るように構成される。
【０１１４】
このような関係より、各光路変更面５１１について、カバー５００’の周方向における位置が決まると、図２２に示すように、ＬＥＤ発光部２００（射影点４１４）から光路変更面５１１への入射光Ｒ１とカバー５００’からの出射光（光路変更面５１１での屈折光Ｒ２）とのなす角度αが決まる。ここで、光路変更面５１１への入射光Ｒ１の入射角をθ１、屈折光Ｒ２の屈折角をθ２、カバー５００’の屈折率をｎとすると、下記の式（１）、（２）が成り立つ。
【０１１５】
【数１】
2013012453.tif 000003
【数２】
2013012453.tif 000004
【０１１６】
ここで、式（２）についてまとめると、下記の式（３）、（４）を導くことができる。
【０１１７】
【数３】
2013012453.tif 000005
【数４】
2013012453.tif 000006
【０１１８】
次に、式（１）と式（４）から、θ２についてまとめると、下記の式（５）〜（９）を導くことができる。
【０１１９】
【数５】
2013012453.tif 000007
【数６】
2013012453.tif 000008
【数７】
2013012453.tif 000009
【数８】
2013012453.tif 000010
【数９】
2013012453.tif 000011
【０１２０】
一方、面Ｐ３と光路変更面５１１とのなす角度γは、αとθ２を用いて下記の式（１０）のように表すことができる。
【数１０】
2013012453.tif 000012
【０１２１】
したがって、式（９）、（１０）から下記の式（１１）を導くことができる。
【０１２２】
【数１１】
2013012453.tif 000013
【０１２３】
このようなことから理解されるように、光路変更面５１１の位置が決定すると、上記角度γを算出することができ、光路変更面５１１の傾き具合を決定することができる。なお、本実施形態では、光路変更面５１１は、たとえばカバー５００’の周方向において５°ごとに各別に設定される。
【０１２４】
本実施形態においては、図２１から理解されるように、上記角度γは、山形部５１０についてｘ方向とは反対方向に位置するものほど小とされている。
【０１２５】
図１９および図２０に示すように、接続面５１２は、隣り合う光路変更面５１１の間をつないでいる。本実施形態において、図２１から理解されるように、各接続面５１２は、射影点４１４からｙ方向の垂直面内において延びる直線を含む。
【０１２６】
なお、図２０および図２１に示すように、本実施形態において、複数の山形部５１０は、カバー５００’の頂部５０６に対応する部位から中心Ｏ３よりも搭載面４１１寄りに対応する部位に至るすべての領域に設けられている。
【０１２７】
図２３に示すように、ＬＥＤ発光部２００は、複数のＬＥＤチップ２５０を備えており、これらＬＥＤチップ２５０が基板４１０の搭載面４１１に搭載された構成とされている。複数のＬＥＤチップ２５０は、ｙ方向に沿ってライン状に配置されている。
【０１２８】
各ＬＥＤチップ２５０は、サブマウント基板２５１および半導体層２５２を具備している。サブマウント基板２５１は、たとえばＳｉからなる。半導体層２５２は、たとえばＧａＮからなるｎ型半導体層、活性層およびｐ型半導体層が積層されており、たとえば青色光を発する。半導体層２５２には、サブマウント基板２５１側に形成された電極パッドが形成されている。これらの電極パッドが、サブマウント基板２５１に形成された配線パターン（図示略）に接合されている。サブマウント基板２５１には、２つの電極（図示略）が形成されており、たとえばＡｕからなるワイヤ２６０によって基板４１０上に形成された配線パターン（図示略）に接続されている。ＬＥＤチップ２５０と基板４１０とは、たとえば絶縁性ペースト２７０によって接合されている。
【０１２９】
ＬＥＤチップ２５０は、封止樹脂２８０によって覆われている。封止樹脂２８０は、たとえば透明なエポキシ樹脂などのＬＥＤチップ２５０からの光を透過する材料と、ＬＥＤチップ２５０からの光によって励起されることにより、ＬＥＤチップ２５０からの光とは異なる波長の光を発する蛍光材料とからなる。この蛍光材料としては、青色光によって励起されることにより黄色光を発するものが挙げられる。封止樹脂２８０は、ワイヤ２６０を覆っており、たとえば基板４１０上に形成されたガラスからなる堰部（図示略）によってせき止められた形状となっている。これは、蛍光材料を含む液状のエポキシ樹脂材料をＬＥＤチップ２５０に向けて滴下することによって封止樹脂２８０を形成する際に、このエポキシ樹脂材料が上記堰部によってせき止められるからである。封止樹脂２８０を備えることにより、ＬＥＤ発光部２００は、青色光と黄色光とが混色された白色光を発する。
【０１３０】
基板４１０は、基台３００に取り付けられている。基台３００は、ｙ方向を長手方向として延びる長矩形板状である。基台３００の下部には、複数の凸部３４０が形成されている。各凸部３４０は、ｙ方向を長手方向として延びている。
【０１３１】
基板４１０の長手方向端部には、図示しない電源部が設けられている。この電源部は、たとえば複数の電子部品を備え、商用交流電源をＬＥＤ発光部２００を点灯させるのに適した直流電力に変換する機能を果たす。電源部とＬＥＤ発光部２００とは、配線（図示略）によって接続されている。
【０１３２】
基台３００ないしカバー５００’の長手方向両端部には、図示しない一対の口金が設けられている。一対の口金は、蛍光灯照明器具のソケットに装着することにより、商用交流電源から電力供給するためのものである。
【０１３３】
本実施形態のＬＥＤランプ１０７においては、ＬＥＤ発光部２００から発せられた光が光路変更面５１１に到達すると、当該光路変更面５１１から出射する光は、当該光路変更面５１１においてｘ方向とは反対側寄りに屈折する。このため、カバー５００’からは、ＬＥＤ発光部２００（ＬＥＤチップ２５０）から発せられた光よりも広い領域に向かって光が発せられる。また、カバー５００’の内周面には、複数の山形部５１０がｘ方向に並んで設けられており、光路変更面５１１は、山形部５１０におけるｘ方向寄りに所定の傾斜姿勢で設けられている。本実施形態の構成によっても、ＬＥＤランプ１０７においては、カバー５００’のサイズの小型化を図りつつ、より広い範囲を照らすことができる。
【０１３４】
図２１を参照して上述したように、面Ｐ３とｘ方向の反対側において光路変更面５１１とのなす角度γは、光路変更面５１１についてｘ方向とは反対方向に位置するものほど小とされている。このため、ＬＥＤ発光部２００からの光が光路変更面５１１において屈折する度合いは、当該光路変更面５１１についてｘ方向とは反対方向に位置するものほど、大きくなる。そして、図２０および図２１を参照すると理解されるように、カバー５００’の外周面から出射される光については、ｙ方向に垂直な面において、あたかもカバー５００’の中心Ｏ３から放射状に延びるように進行する。このような構成によれば、ＬＥＤ発光部２００からｘ方向寄りに向けて発せられた光を、Ｘ方向とは反対側寄りに向けて出射することが可能となる。したがって、ＬＥＤランプ１０７は、より広い範囲を照らすのに適している。
【０１３５】
さらに、ＬＥＤランプ１０７においては、複数の山形部５１０は、カバー５００’の頂部５０６に対応する部位から中心Ｏ３よりも搭載面４１１寄りに対応する部位に至るすべての領域に設けられている。このように中心Ｏ３よりも搭載面４１１寄りにも山形部５１０が設けられた構成によれば、当該山形部５１０の光路変更面５１１によって、Ｘ方向とは反対側（図２０および図２１における斜め下方）により多くの光が向かいやすい。したがって、ＬＥＤランプ１０７は、より広い範囲を照らすのに適している。
【０１３６】
本発明に係るＬＥＤランプは、上述した実施形態に限定されるものではない。本発明に係るＬＥＤランプの各部の具体的な構成は、種々に設計変更自在である。
【符号の説明】
【０１３７】
１０１，１０２，１０３，１０４，１０５，１０６，１０７  ＬＥＤランプ
Ｏ１    回転対称軸
Ｏ２    軸線
Ｐ１    面（第１面）
Ｐ２    面（第２面）
Ｐ３    面（第３面）
ｘ      方向（第１方向）
ｙ      方向（第２方向）
２００  ＬＥＤ発光部
２０１  ＬＥＤモジュール
２０２  ＬＥＤチップ
２０３  リード
２０４  実装端子
２０５  ケース
２０６  封止樹脂
２０７  ワイヤ
２１０  ＬＥＤ基板
２２０  ＬＥＤチップ
２３０  封止樹脂
２４０  堰部
２５０  ＬＥＤチップ
２５１  サブマウント基板
２５２  半導体層
２６０  ワイヤ
２７０  絶縁性ペースト
２８０  封止樹脂
３００  基台
３１０  本体
３１１  フィン
３１２  電源収容凹部
３２０  スペーサ
３２１  開口
３２２  配線用貫通孔
３３１  フィン
３４０  凸部
４００  電源部
４１０  基板
４１１  搭載面
４１２  交差点
４１３  放熱用貫通孔
４１４  射影点
４２０  電子部品
４３０  配線
５００  グローブ
５００’  カバー
５０１  ドーム形状部
５０２  窄み部
５０３  挿入部
５０４  （グローブの）頂点
５０５  円筒部
５０６  （グローブの）頂部
５１０  山形部
５１１  光路変更面
５１２  接続面
５２０  （追加の）光路変更面
５３０  外周面
５４０  突出片
６００  口金
７００  台座（膨出部）
７０１  天板
７０２  円筒部
７０３  鍔板
７２１  配線用貫通孔
７２２  放熱用貫通孔
７２３  切欠き
７３１  ボルト用貫通孔
７３２  ザグリ穴
７４１  ボルト
７４２  固定樹脂
８００  フレキシブル配線基板
８０１  円形部
８０２  円弧部
８０３  連結部
【図１】
2013012453.tif 000014
【図２】
2013012453.tif 000015
【図３】
2013012453.tif 000016
【図４】
2013012453.tif 000017
【図５】
2013012453.tif 000018
【図６】
2013012453.tif 000019
【図７】
2013012453.tif 000020
【図８】
2013012453.tif 000021
【図９】
2013012453.tif 000022
【図１０】
2013012453.tif 000023
【図１１】
2013012453.tif 000024
【図１２】
2013012453.tif 000025
【図１３】
2013012453.tif 000026
【図１４】
2013012453.tif 000027
【図１５】
2013012453.tif 000028
【図１６】
2013012453.tif 000029
【図１７】
2013012453.tif 000030
【図１８】
2013012453.tif 000031
【図１９】
2013012453.tif 000032
【図２０】
2013012453.tif 000033
【図２１】
2013012453.tif 000034
【図２２】
2013012453.tif 000035
【図２３】
2013012453.tif 000036
【図２４】
2013012453.tif 000037